(57)【特許請求の範囲】
【請求項１】
複数の区画内に飲物容器を保持するように構成される下部飲物キャリヤであって、底部と複数の側壁と持ち手とを有し、前記側壁の少なくとも２つが前記飲物容器の最も丈が高い飲物容器の最上部よりも垂直方向に高い位置に配置される上端部を有し、前記持ち手は前記上端部よりも更に上方に延出し、前記上端部は前記持ち手の面に平行に延びるとともにそれぞれ少なくとも一部に前記持ち手の面に沿った略水平な辺を備える、前記下部飲物キャリヤと、
底部と少なくとも１つの側壁とを有する上部食物トレーであって、スロットが前記上部食物トレーの前記底部に形成され、前記下部飲物キャリアの前記持ち手が前記上部食物トレー内に延出し、前記上部食物トレーの前記底部が前記下部飲物キャリヤの前記側壁の上端部の略水平な辺によって支持される、前記上部食物トレーと、
を備える、飲物容器及び食物用キャリヤ。
【請求項２】
前記下部飲物キャリヤが材料の裁断された単一のシートから形成され、前記持ち手が前記材料の単一のシートが重ねられ付着された２つの層を有する、請求項１に記載の飲物容器及び食物用キャリヤ。
【請求項３】
前記持ち手が、前記持ち手に更なる層を付加するために前記材料の裁断された単一のシートの前記２つの層の一方の層上に折り曲げられるフラップを有する、請求項２に記載の飲物容器及び食物用キャリヤ。
【請求項４】
前記材料が非コーティング厚紙のシートである、請求項２に記載の飲物容器及び食物用キャリヤ。
【請求項５】
前記材料がコーティングされた厚紙のシートである、請求項２に記載の飲物容器及び食物用キャリヤ。
【請求項６】
前記下部飲物キャリヤが、前記複数の区画の少なくとも１つにカップ押さえストラップを形成するために前記下部飲物キャリヤの隣接する側壁に形成される一連の平行するスロットを有する、請求項１に記載の飲物容器及び食物用キャリヤ。
【請求項７】
前記複数の区画の少なくとも１つにカップ押さえストラップを形成するために、倒立の、全体的には台形状のスロットが前記下部飲物キャリヤの隣接する側壁に形成される、請求項１に記載の飲物容器及び食物用キャリヤ。
【請求項８】
前記下部飲物キャリヤが、折りたたまれた状態で製造される材料の裁断された単一のシートのみから形成され、前記下部飲物キャリヤが、前記材料のシートのほぼ５倍の厚さに折りたたまれた状態で製造される、請求項１に記載の飲物容器及び食物用キャリヤ。
【請求項９】
前記上部食物トレーの底部の面積が前記下部飲物キャリヤの前記底部の面積よりも大きい、請求項１に記載の飲物容器及び食物用キャリヤ。
【請求項１０】
前記上部食物トレーが材料の裁断された単一のシートから形成され、前記上部食物トレーが、前記材料の裁断された単一のシートの厚さの略５倍の厚さに折りたたみ可能である、請求項１に記載の飲物容器及び食物用キャリヤ。
【請求項１１】
前記材料が非コーティング厚紙のシートである、請求項１０に記載の飲物容器及び食物用キャリヤ。
【請求項１２】
前記材料がコーティングされた厚紙のシートである、請求項１０に記載の飲物容器及び食物用キャリヤ。
【請求項１３】
通常の使用においては、前記上部食物トレーの底部が前記下部飲物キャリヤ底部と略平行の姿勢に維持される、請求項１に記載の飲物容器及び食物用キャリヤ。
【請求項１４】
前記上部食物トレーが略開放型の最上部を有する、請求項１に記載の飲物容器及び食物用キャリヤ。
【請求項１５】
前記上部食物トレーが略閉鎖可能な最上部を有するボックスである、請求項１に記載の飲物容器及び食物用キャリヤ。
【請求項１６】
前記下部飲物キャリヤが４つの側壁にそれぞれ上端部を有し、前記上部食物トレーが前記下部飲物キャリヤの前記４つの上端部によって支持される、請求項１に記載の飲物容器及び食物用キャリヤ。
【請求項１７】
容易に組み立てられる飲食物キャリヤを折りたたみ状態に製造する方法であって、
飲物キャリアは、四つの側壁及び底部を有し、前記４つの側壁は各々上端部の少なくとも一部に前記側壁の面に沿った略水平な辺を備え、
材料の単一シートから、持ち手を有する二つの側面を含む一体化したキャリヤ側面及び各々前記側面と一体である四つの底部フラップを裁断するステップと、
四つの側壁及び持ち手を有する飲物キャリヤを形成するために前記裁断されたシートを折るステップと、
各々、前記四つの側面の端部、最上部及び一側面を隣接する側面の内側表面に取り付けるステップと、
二つの前記底部フラップのタブを隣接するフラップの下面に取り付けるステップと、
前記飲物キャリヤを提供するために前記底部フラップを噛み合わせるステップと、
材料の単一シートから細長いスロットを有する食物トレー部材を裁断するステップと、
前記食物トレー部材を形成するために前記裁断されたシートを折ることと、
前記飲物キャリヤの前記持ち手を前記食物トレー部材の前記スロットを通じて位置付けるステップと、
前記飲み物キャリアの側壁のうち、前記持ち手と平行な側壁の上端部の略水平な辺で、前記食物トレーを支持するステップと、  を含む製造方法。
【発明の詳細な説明】
【０００１】
【発明の属する技術分野】
本発明の好ましい実施例は、飲食物およびその他の品物に用いられる経済的な使い捨てキャリヤに関する。
【０００２】
【発明が解決しようとする課題】
従来技術は、飲食物キャリヤを示す多数の特許を含む。代表的な従来技術によるキャリヤは、ハンター特許第５，７３８，２１７号及び第５，９２７，５０２号に記載されている。これらの特許に記載されているキャリヤは他のキャリヤよりは改善されているものの、ハンター特許のキャリヤはいくつかの重大な欠点を有している。つまり、ハンター特許のキャリヤはさまざまな寸法及び形状を有する飲物容器を運搬するようには設計されていないため、異なる寸法のカップを容易に運ぶことができない。ハンターのキャリヤは底部を欠いているため、キャリヤを地面乃至床に置くと、飲物カップはどうしてもスタジアムの地面乃至床に接触してしまう。さらに、ハンターのキャリヤは、食物トレーが水平姿勢に留まるように保持しない。むしろ、飲物カップの上方への移動がトレーを傾斜させる傾向があり、特に、相違する寸法のカップが用いられていたり、カップがキャリヤ内に均一に配分されていない場合はそれが起きやすい。
【０００３】
【課題を解決するための手段】
本発明の好ましい実施例は、広範囲に渡る用途を有する経済的な飲食物キャリヤを提供する。一つの詳細な用例として、野球場乃至スタジアムにおける飲食物売店から観戦席までの食物の運搬が挙げられる。この好ましい実施例の特殊な特徴として、異なる寸法の飲物容器を簡便に運搬することもできる。つまり、好ましい実施例は二部品構成のキャリヤを含み、これは二枚の厚紙の紙片のみから形成され、下部キャリヤが運搬用の持ち手と食物及び同様な品物のための上部トレーとを備えるものである
【０００４】
飲物容器は、噛み合う四枚の厚紙製フラップによって提供される底部の上に載る。これらの飲物カップ及び容器は、フォーム製、紙製、プラスティック製、円形、正方形またはそれ以外であっても、スタジアムの床と接触しないようにキャリヤ底部によって保護される。上部食物トレーは、持ち手の上を滑動し、下部コンテナを形成する側壁の上端に載る。
【０００５】
好ましい実施例においては、側壁は、コンテナ床部から飲物容器よりさらに高く上方へと延びて、その上端が食物トレーの底部を支える。結果として、トレーの姿勢は飲物キャリヤに対して平行に保たれる。
【０００６】
本発明の好ましい実施例に基づいて構成されるキャリヤの、他の著しく有用な点は、このキャリヤが簡便な輸送及び保管のために折りたたまれ、野球場又はフットボールスタジアムにおいてはすばやく容易に組み立てられるように構成されていることである。折りたたまれたキャリヤは、キャリヤを形成するのに用いられる裁断された材料シートのわずか五倍の厚みしか持たない点で有利である。
【０００７】
【発明の実施の形態】
本発明に基づいて構成された飲食物キャリヤの一つの好ましい実施例は図１３に示され、飲物用の紙製又はプラスティック製カップ乃至他の容器を保持するための下部飲物キャリヤ２５と、外壁の最上端の上に支持される上部食物トレー３０とを含む。図示された実施例においては、下部キャリヤは、図１（Ａ）及び１（Ｂ）にもっとも適切に示されているように、四つの区画ポケット３５を有し、カップの寸法によっては四つ又はそれ以上のカップ４０又は他の容器（図1（Ｂ）参照）を運搬できる。
【０００８】
本発明の一つの特徴として、下部キャリヤは、野球場及びスタジアムで通常販売される、いかなる形状又は構成を備える飲物容器にも対応する。さらに、図示された実施例は四つのポケット３５を備えているが、より少数の、又はより多数のポケットを有するように底部キャリヤを構成することもできるのは明らかである。
【０００９】
以下で議論されるように、また図１（Ｂ）及び図１６に示されるように、コンテナ２５の側壁４５、４６、４７、４８の最上端は、好ましい実施例においてはコンテナ２５内部に通常収納されるもっとも背の高いカップ４０よりも高い。
【００１０】
飲物コンテナ２５は、都合よくポケット３５の各々の下に底床部４９を有利に含む。この床部は、四つの噛み合う底部フラップによって提供される。
【００１１】
下部飲物キャリヤはさらに、一体形成されて扁平な、全体としては矩形状の持ち手５０を含み、この持ち手は、下部キャリヤ２５を構成するために用いられるのと同一又は他のシート材料の二倍の厚みを備えて有利に形成されている。細長い開口部５５は、片手の指数本をこの開口部５５に通すことで、飲食物コンテナの運搬をさらに簡便にする。
【００１２】
上部食物トレー３０は、図７及び１３においてもっともよく示されるように、下部キャリヤ２５の側壁４５、４６、４７及び４８によって取り囲まれる面積よりも有利に大きい基部又は底部６０を備える。食物トレー３０の底部は、持ち手５０の断面よりも多少大きな寸法を有する細長いスロット６１を含む。図１３に示されるように、飲物カップがポケット３５内部に収納された後で、トレー３０は、持ち手５０の上から滑り降ろされる。
【００１３】
本発明の好ましい実施例の著しい特徴として、上部食物トレー３０は、側壁４５、４６、４７及び４８の最上端に載るまで持ち手５０の上から滑り降ろされる（図１３及び１６を参照）。こうすることによって、トレー３０の姿勢は飲物キャリヤ２５に対して水平に保たれ、ポケット３５内に収納された飲物カップの高さ、配置又は数量による影響を受けない。さらに、好ましい実施例においては、飲物カップの底部が下部飲物コンテナの床部４９上に有利に載置される。結果として、内容物を収納したキャリヤ２５をスタジアムの床乃至席に置いた場合でも、ポケット３５の内部の飲物コンテナ４０又はトレー３０の姿勢のいずれにも何の影響も与えない。
【００１４】
有利な点として、下部飲物キャリヤ２５及び上部食物トレー３０は各々、適切な厚紙の単一シートから裁断される。図１４及び１５を参照すると、これらの図においては、内側の実線が厚紙の切り離しスリットを、点線が厚紙に形成された折目を示す。以下の説明において、下部及び上部キャリヤの側壁の各内側面は、図１４及び１５においては上方に面している。具体的な例として、キャリヤは本発明に基づいて組みたてられ、図１４の裁断された平らな厚紙の外側の寸法が３６、２７／３６インチ対１６、３／８インチであって、図１５の裁断された平らな厚紙の外側の寸法は、１７インチ対１６インチである。
【００１５】
図１４に関しては、下部飲物キャリヤ２５は、裁断された厚紙のシートを点線に沿って以下のように折ることによって構成される。壁部４８を平らに保持し、壁部４５を線１０４に沿って上方に折り、線１０４に沿った折目を形成する。同様に、ポケット分割部材１０６は、部分４８に対しては線１０８に沿って上方に折られるが、持ち手部１１０に対しては線１１２に沿って下方に折られ、線１０８及び１１２に沿って折目が残る。壁部４７は、壁部４８に対しては線１１６に沿って上方に折られ、線１１６に沿った折目を形成する。
【００１６】
次に、壁部４６は平らに保持され、壁部４７が壁部４６に対して線１２０に沿って上方に折られて、線１２０に沿った折目が形成される。同様に、第二のポケット分割部材１２２は壁部４６に対して線１２４に沿って上方に折られ、第二の持ち手部１２６に対して線１２８に沿って下方に折られて線１２４及び１２８に沿って折目が残る。さらに、端部タブ１３０は部分４６に対して線１３２に沿って上方に折られる。端部タブ１３０は、端部タブ部１３８が持ち手部１２６に対して上方に折られるように持ち手部１２６に対しても線１３４に沿って折られ、コネクタ１２２及び端部タブ１３０が、平行な平面に位置し、線１３２及び１３４に沿って折目が形成される。
【００１７】
底部フラップ１４０、１４２、１４４及び１４６は各々、壁部４５、４８、４７及び４６に接続される。これらの各フラップは、壁部４５、４８及び４７に対して各々の線１５０、１５２及び１５６に沿って、これらの線に沿った折目を形成するために上方に折り曲げられる。
【００１８】
底部フラップ１４２は、フラップ１４２の残りに対して線１６２に沿って下方に折り曲げられる角タブ部１６０を含む。同様に、底部フラップ１４６は、フラップ１４６の残りに対して線１６６に沿って下方に折り曲げられる角タブ部１６４を含み、線１６２及び１６６に沿って折目が残される。
【００１９】
下部コンテナは、以下のように折りたたまれた構成で有利に製造される。部分４５、４８、４７及び４６は折目１０４、１１６、１２０及び１２４に沿って折り曲げられ、コンテナの外壁が形成される。持ち手部１２６の下方に面した側は、適切なのり又は接着剤を用いて持ち手部１１０の上方に面した側に接合される。端部タブ１３０の下方に面している側は、のり又は接着剤を用いて部分４５の上方に面した側に固定される。タブ１６０の上方に面している側は、のり又は接着剤を用いてフラップ１４０の下方に面している側に接合される。タブ１６４の上方に面している表面は、フラップ１４４の下方に面している側と接合される。
【００２０】
底部フラップ１４０、１４２、１４４及び１４６の構成の著しい特徴は、キャリヤが図１（Ａ）の構成に組み立てられたときに底部フラップ１４０、１４２、１４４及び１４６が重なり合って、中身が満たされた飲物容器をできるかぎり多数キャリヤ内部に置くことができるように噛み合う底部表面４９を形成する点である。底部フラップ１４０及び１４２の特別な特徴は各々ノッチ１７０、１７２を含むことである。図５及び６にもっともよく示されるように、四つの底部フラップ１４０、１４２、１４４及び１４６を共に折り、図１（Ａ）に示された組み立て状態にキャリヤを維持するために、ノッチ１７０及び１７２が互いに噛み合うように引き寄せられる。
【００２１】
折りたたみ可能なキャリヤの機能性はさらに、キャリヤが開かれた際に底部表面４９を上方に偏らせる折目１５０、１５２、１５６、１６２及び１６６によって強化される。その結果、キャリヤの重量運搬能力は、キャリヤ内部に保持されることが可能な飲物のすべてを、余裕をもって上回る。
【００２２】
図１４に示された他の特徴は、底部フラップ１４０及び１４４から裁断されたくさび型部分である。フラップ１４０からくさび型を裁断すると、フラップ１４０の端部１６８及びタブ１６０の並列された端部の間にくさび型の間隙１６７が残る。底部フラップ１４４から小さなくさび型の部分を裁断すると、フラップ１４４の端部１６９及びタブ１６４の並列された端部の間にくさび型の間隙１７３が残る。除去されたこれらの端部１６８、１６９は、図１７に示される折りたたみ状態にある下部キャリヤの組み立てを容易にする。したがって、端部１６８は、パネル１０２と１００との間に形成された折目１０４に向かって折られ、端部１６９は、パネル１１４と１１８との間に形成された折目１２０に向かって折られる。図１７に示された、折りたたまれた飲物キャリヤの全体的な厚みは、飲物キャリヤを形成する裁断シートの厚みの略五倍に過ぎない。
【００２３】
上部食物トレー３０は、図１５に示されるように厚紙シートから有利に裁断される。端部タブ２００、２０２、２０４及び２０６の下方に面している側は、各々折り曲げ部分２１０、２１２、２１４及び２１６の上方に面している側に接着される。結果として、この食物トレーは、図１８に示される折りたたみ状態で容易に製造されるが、すばやく食物トレー３０として組み立てることができる。図１８に示される折りたたまれたトレーの全体的な厚みは、トレーを形成する裁断シートの厚みの略五倍に過ぎない。
【００２４】
飲物が下部キャリヤ２５内部に置かれた後、トレースロット６１は、図１３及び１６に示されるように、下部キャリヤの四つの側面の上端部によってトレーが支持されるまで、容易に持ち手５０上を滑動させられる。
【００２５】
トレー３０の床部６０は、このように、側壁４５、４６、４７及び４８の上端部によって飲物キャリヤ２５の床部４９に対して水平に保たれ、下部キャリヤが地面に置かれた際にも食物がこぼれ出る虞はなくなる。
【００２６】
本発明に基づいて構成される飲食物キャリヤの、他の好ましい実施例は、図１９〜２３に示される。これらの図で示されているように、平行するいくつかのスロットの組３００及び３０１、３０５及び３０６、３１０及び３１１は、飲物用下部キャリヤ２５Ａの四つのポケットのうちの三つを形成するのに用いられるパネルの下半分に裁断されている。これらのスロットは、ポケット内部に飲物容器を保持する際に補助するカップ押さえ部材としての一連の厚紙ストラップ３１５、３１６及び３１７を形成するために、下部飲物キャリヤの隣接するパネルの間の各々の折目１０４Ａ、１０６Ａ及び１２０Ａを通じて延びる。図２０に示されるように、これらの厚紙ストラップは、下部飲物キャリヤ２５Ａ内部でまっすぐに飲物容器を保持できるように、内部ウェッジ（ｉｎｔｅｒｉｏｒ  ｗｅｄｇｅ）を作成し、又は飲物容器の外壁が接触するのを制限するために、飲物容器のポケットに押し込まれている。
【００２７】
図１９に示されるように、もし必要でない場合は、これらのストラップは、飲物コンテナ２５Ａの外壁内に平坦に留めることができる。代替例としては、一つまたは二つのストラップを、飲物キャリヤの移動及び傾斜の抑制の補助のためにポケットに押し込むことができる。
【００２８】
図１９〜２２及び図２４〜２７に示されている下部飲物キャリヤの他の特徴は、強化された持ち手であって、パネル１１０Ａは典型的には１．５インチ幅の厚紙３２５の特別の持ち手フラップによって形成される。厚紙が図２２に示されるように裁断され、図１９〜２１に示されるように折り曲げられた後、持ち手フラップ３２５は上方に折り曲げられて、厚紙の付加的な厚みを提供し、持ち手に強度を与えて飲物キャリヤの運搬をさらに快適なものにする。
【００２９】
図２４〜２７は、本発明に基づいて構成されたキャリヤの他の好ましい実施例を図示している。図２４、２５及び２７に示されるように、代替的な飲物カップ押さえは、二つの隣接するパネルの下半分に裁断される倒立台形部４００によって提供される。図２５に示されるように、倒立台形部４００は、飲物カップの移動又は傾斜を防ぐ厚紙フラップを提供するために、折目４１０、４１１上で折られて飲物キャリヤのポケット４１５内部に折り曲げられてもよい。さらに、図２４に示されるように、フラップが飲物カップの規制に不必要な場合は、この倒立台形部４００は、飲物キャリヤの外壁４０５、４０６内に平坦に留まってもよい。
【００３０】
付加的な倒立台形部４００が、他の隣接するパネルに付加的な倒立台形状の切れこみを入れることによって提供されることが可能なのは、明白であろう。
【００３１】
図２６及び２７は、キャリヤが組み立てられる際にキャリヤの底部に付加的な強度を提供するために基部フラップをともに堅固に固定する、固定ノッチ４５０、４５１を有する代替的な底部フラップを図示している。
【００３２】
図２８は、細長いスロット５１０を底部と上端の両方に有する上部食物ボックス５００を所持する本発明の下部飲物キャリヤを図示している。典型的には、ボックス５００は、実質的にボックスの上端を覆うカバーを有し、ピザの運搬に用いられるが、ボックス５００は、他のさまざまな食物の運搬にも用いることが可能であるのは明白である。
【００３３】
本発明の飲食物キャリヤの好ましい実施例は、厚紙の単一シートから製造される。適切な厚紙シートは、厚みの範囲によって利用可能であり、例示的な厚みの範囲は０．０１６〜０．０２８インチである。厚みが薄いものが、より軽い重量を運搬する上部食物トレーに通常は有利に用いられ、一方、より重い飲物コンテナを運搬するための下部飲物キャリヤに、典型的に０．０２０〜０．０２８インチの厚みのものが用いられる。上部及び下部キャリヤを構成するのに有用な厚紙シートの典型的な種類に含まれるのは、
１．プレーンチップ、又は非コーティングであって、
２．コンテナ表面に広告、クーポン、又は同種の印刷を強化するためのクレーコートが施され、
３．こぼれた、又は漏れている飲物コンテナを運搬するために耐水強度を提供する防水コートが施されている。
４．特定の例としては、リバーウッド・インターナショナル社がクラフツマスター（登録商標）、オムニ−コート（登録商標）、パール‐コート（登録商標）及びアクア−コート（登録商標）という各商標名のもとにそのような非コート紙及びコートされた厚紙シートを製造している。
【００３４】
本発明の好ましい実施例に基づいて構成される飲食物コンテナは、以下を含むいくつかの著しく有利な点を有する。
１．コンテナは折りたたまれた形で製造出荷され、野球場又はフットボールスタジアムにおいて迅速かつ容易に組みたてられる。折りたたまれたキャリヤ（例えば、図１７及び１８を参照）は、下部キャリヤを形成するために用いられる裁断材料のシートの厚みの略五倍に過ぎない。
２．キャリヤによって運搬される飲物コンテナ４０の底部は、キャリヤの底部でかみ合うフラップによって支持され、飲物及び食物キャリヤが地面に置かれるときも不安定になることはない。飲物は、したがってキャリヤが床や地面に置かれるときも保護される。
３．飲食物キャリヤの上部及び下部部分は、厚紙の単一シートから経済的に形成される。
【００３５】
非常に有用な食物及び飲物キャリヤを大量に製造するための非常に簡潔かつ経済的な方法に加えて、本発明の好ましい実施例は、広告用スペースの販売を容易にする。広告コピーは、図１４、１５、２２、２３及び２７のシート上にシート裁断の前に単純に印刷されるだけでよい。本発明の好ましい実施例に基づいて構成されたキャリヤは、下部及び上部キャリヤのいずれの側面壁においてもそのような印刷広告用の略領域を提供する。
【図面の簡単な説明】
【図１Ａ】  図１（Ａ）は、本発明の一つの実施例による下部飲物コンテナの斜視図である。
【図１Ｂ】  図１（Ｂ）は、キャリヤ内部に設置された飲物コンテナとともに示された下部飲物キャリヤの斜視図である。
【図２】  図２は、下部飲物キャリヤの第一の側面の正面図である。
【図３】  図３は、飲物キャリヤの第二の側面の正面図である。
【図４】  図４は、飲物キャリヤの第三の側面の正面図である。
【図５】  図５は、飲物キャリヤの平面図である。
【図６】  図６は、飲物キャリヤの底面図である。
【図７】  図７は、上部食物トレーの平面斜視図である。
【図８】  図８は、食物トレーの底面斜視図である。
【図９】  図９は、食物トレーの第一の側面の正面図である。
【図１０】  図１０は、食物トレーの第二の側面の正面図である。
【図１１】  図１１は、食物トレーの底面図である。
【図１２】  図１２は、食物トレーの平面図である。
【図１３】  図１３は、下部飲物キャリヤの上に取りつけられた上部食物トレーを示す斜視図である。
【図１４】  図１４は、下部飲物キャリヤを形成するために裁断された厚紙シートの正面図である。
【図１５】  図１５は、上部食物トレーを形成するために裁断された厚紙シートの正面図である。
【図１６】  図１６は、下部飲物キャリヤ上に取りつけられた上部食物トレーを示す側面正面図である。
【図１７】  図１７は、製造後の折りたたまれた状態の下部飲物キャリヤの斜視図である。
【図１８】  図１８は、製造後の折りたたまれた状態の上部食物トレーの斜視図である。
【図１９】  図１９は、本発明の他の実施例に基づく下部飲物キャリヤの斜視図である。
【図２０】  図２０は、図１９の実施例の下部飲物キャリヤの他の斜視図である。
【図２１】  図２１は、上部食物トレーを取りつけた図１９及び２０の実施例を示す斜視図である。
【図２２】  図２２は、図１９〜２１の下部食物キャリヤを形成するために裁断された厚紙シートの正面図である。
【図２３】  図２３は、図２１の上部食物トレーを形成するために裁断された厚紙シートの正面図である。
【図２４】  図２４は、本発明のさらに他の実施例の下部飲物キャリヤの斜視図である。
【図２５】  図２５は、図２４の実施例の下部飲物キャリヤの他の斜視図である。
【図２６】  図２６は、図２４及び２５の飲物キャリヤの底面図である。
【図２７】  図２７は、図２４〜２６の下部飲物キャリヤを形成するために裁断された厚紙シートの正面図である。
【図２８】  図２８は、上部食物ボックスを支持する下部飲物キャリヤの斜視図である。
【図１Ａ】
0005015401.tif 000002
【図１Ｂ】
0005015401.tif 000003
【図２】
0005015401.tif 000004
【図３】
0005015401.tif 000005
【図４】
0005015401.tif 000006
【図５】
0005015401.tif 000007
【図６】
0005015401.tif 000008
【図７】
0005015401.tif 000009
【図８】
0005015401.tif 000010
【図９】
0005015401.tif 000011
【図１０】
0005015401.tif 000012
【図１１】
0005015401.tif 000013
【図１２】
0005015401.tif 000014
【図１３】
0005015401.tif 000015
【図１４】
0005015401.tif 000016
【図１５】
0005015401.tif 000017
【図１６】
0005015401.tif 000018
【図１７】
0005015401.tif 000019
【図１８】
0005015401.tif 000020
【図１９】
0005015401.tif 000021
【図２０】
0005015401.tif 000022
【図２１】
0005015401.tif 000023
【図２２】
0005015401.tif 000024
【図２３】
0005015401.tif 000025
【図２４】
0005015401.tif 000026
【図２５】
0005015401.tif 000027
【図２６】
0005015401.tif 000028
【図２７】
0005015401.tif 000029
【図２８】
0005015401.tif 000030